(57)【要約】【課題】レーザ光源の発振波長、記録時の使用波長、再生時の使用波長、更には情報の検出を行う波長帯域の最適な関係の指針を提供し、より実用的な光記録再生方式及び光記録再生装置を提供する。【解決手段】記録材料に対し、光源から出射されるレーザ光を照射して記録及び／又は再生を行う光記録再生方式であって、光源の発振波長をλｆｓ、記録材料の記録時の光励起波長をλｒｅｃ、再生時の光励起波長をλｒｄ、再生時の発光中心波長をλｐｌとすると、  λｒｅｃ≠λｒｄ≠λｐｌ≠λｆｓとする。【選択図】図１
2006164450.tif 000002
【特許請求の範囲】
【請求項１】
記録材料に対し、光源から出射されるレーザ光を照射して記録及び／又は再生を行う光記録再生方式であって、
上記光源の発振波長をλｆｓ、上記記録材料の記録時の光励起波長をλｒｅｃ、再生時の光励起波長をλｒｄ、再生時の発光中心波長をλｐｌとすると、
λｒｅｃ≠λｒｄ≠λｐｌ≠λｆｓ
である
ことを特徴とする光記録再生方式。
【請求項２】
上記記録時及び再生時の光励起波長λｒｅｃ及びλｒｄを、上記光源の発振波長λｆｓに対し、それぞれ
λｒｅｃ≒λｆｓ／ｎ
λｒｄ≒λｆｓ／ｍ
（但し、ｎは２以上の整数、ｍは１以上の整数、ｎ＞ｍ）
とする
ことを特徴とする請求項１記載の光記録再生方式。
【請求項３】
上記再生時の光励起波長が、記録時の光励起によって、その中心波長が変化する
ことを特徴とする請求項１記載の光記録再生方式。
【請求項４】
上記再生時の光励起波長が、記録時の光励起によって、その中心波長が変化する
ことを特徴とする請求項２記載の光記録再生方式。
【請求項５】
上記記録材料の再生時の発光を蛍光の発光とし、その発光中心波長λｐｌを、
λｆｓ／２＜λｐｌ＜λｆｓ
とする
ことを特徴とする請求項２記載の光記録再生方式。
【請求項６】
上記記録材料の再生時の発光を蛍光の発光とし、その発光中心波長λｐｌを、
λｆｓ／２＜λｐｌ＜λｆｓ
とする
ことを特徴とする請求項４記載の光記録再生方式。
【請求項７】
記録媒体に対し、光源から出射されるレーザ光を照射して記録及び／又は再生を行う光記録再生装置であって、
上記光源の発振波長をλｆｓ、上記記録媒体における記録材料の記録時の光励起波長をλｒｅｃ、再生時の光励起波長をλｒｄ、再生時の発光中心波長をλｐｌとすると、
λｒｅｃ≠λｒｄ≠λｐｌ≠λｆｓ
とされる
ことを特徴とする光記録再生装置。
【請求項８】
上記光源のうち少なくとも１つがパルスレーザ光を発振する光源とされ、そのパルス幅が１ｐｓ以下とされる
ことを特徴とする請求項７記載の光記録再生装置。
【請求項９】
上記パルスレーザ光を発振する光源とは別に、再生用光源が設けられ、
上記再生用光源は、上記記録媒体の再生時の光励起波長λｒｄに対応する発振波長を有する
ことを特徴とする請求項８記載の光記録再生装置。
【請求項１０】
上記再生用光源からのレーザ光を上記記録媒体に照射する共焦点光学系が設けられて成る
ことを特徴とする請求項９記載の光記録再生装置。
【発明の詳細な説明】
【技術分野】
【０００１】
本発明は、記録材料に対しレーザ光を照射して記録及び／又は再生を行う光記録再生方式及び光記録再生装置に関する。
【背景技術】
【０００２】
従来、光記録再生媒体の深さ方向に多層記録を行ういわゆる３次元光記録を可能とする方法として、パルス間隔がフェムト秒オーダーとされるいわゆる超短パルスレーザ（フェムト秒レーザ）のような、多光子吸収を誘起できるレーザ光源を用いる方法が各種提案されている。
【０００３】
例えば、記録媒体としてＳｉＯ２（シリカガラス）やＰＭＭＡ（ポリメチルメタクリレート）単体を用いて、フェムト秒レーザの照射により局所的なクーロン爆発を利用してボイドを発生させて記録を行う方法が提案されている（例えば非特許文献１及び２参照。）。
上記非特許文献１及び２に開示の方法では、フェムト秒レーザのような多光子吸収を誘起できるような超短パルスレーザを用いる際、記録しきい値が非常に高くなってしまい、フェムト秒レーザの他にその出力を増幅する再生増幅器を併用し、１パルス当たりの記録パルスエネルギーを増幅しなければ、適切な記録ができなかった。
【０００４】
また、このようなシリカガラスやＰＭＭＡにおけるボイド記録を行う場合、ピット記録は可能ではあるものの、パルス毎の書き込み、すなわちビット単位の記録しかできず、従来、光ディスクで用いられてきた長さの異なる複数の記録マークを利用した変調方式を採用することは不可能であり、実用的な記録媒体として利用し難いという問題もある。
【０００５】
更に、記録媒体として希土類添加ガラスに対し、フェムト秒レーザを照射して価数を変化させて蛍光発光パターンを変えることにより記録を行う方法も提案されている（例えば非特許文献３参照。）。
【０００６】
【非特許文献１】M.Watanabe et al, "Three-Dimentional Optical Data Storage in Vitreous Silica", Japanese Journal Applied Physics, Vol.37(1998)pp.L1527-L1530
【非特許文献２】Ｋ.Yamasaki et al, "Recording by microexplosion and two-photon reading of three-dimentional optical memory in polymethylmethacrylatefilms", Applied Physics Letters, American Institute of Physics, Vol.76,No.8(2000)pp1000-1002
【非特許文献３】K.Fujita et al,” Photoinduced Valence Changes of Samarium Ions Inside a Silica-Based Glass with Near-Infrared Femtosecond-Laser Pulses:Materialsfor Three-Dimensional Optical Memory", Japanese Journal Applied Physics, Vol.40(2001)pp.1651-1652
【発明の開示】
【発明が解決しようとする課題】
【０００７】
従来は、上述したような発光や記録原理が確認された材料に対して、その都度適切な励起を誘起する波長のレーザ光源を用意するとか、或いは波長フィルターを配置するなどの工夫が必要であり、使用する光源との波長関係についての検討はされていない。
このため、記録再生装置としての光学系は、より複雑で、最適化が難しい状況にあっただけでなく、より高いコストを必要とするという問題があった。
【０００８】
本発明は、このような問題に鑑みて、上述したような多層記録の可能な光記録再生方式及び光記録再生装置において、レーザ光源の発振波長、記録時の使用波長、再生時の使用波長、更には情報の検出を行う波長帯域の最適な関係の指針を提供し、より実用的な光記録再生方式及び光記録再生装置を提供することを目的とする。
【課題を解決するための手段】
【０００９】
上記課題を解決するため、本発明は、記録材料に対し、光源から出射されるレーザ光を照射して記録及び／又は再生を行う光記録再生方式であって、上記光源の発振波長をλｆｓ、上記記録材料の記録時の光励起波長をλｒｅｃ、再生時の光励起波長をλｒｄ、再生時の発光中心波長をλｐｌとすると、
λｒｅｃ≠λｒｄ≠λｐｌ≠λｆｓ
であることを特徴とする。
【００１０】
また本発明は、上述の光記録再生方式において、上記記録時及び再生時の光励起波長λｒｅｃ及びλｒｄを、上記光源の発振波長λｆｓに対し、それぞれ
λｒｅｃ≒λｆｓ／ｎ  ・・・（１）
λｒｄ≒λｆｓ／ｍ    ・・・（２）
（但し、ｎは２以上の整数、ｍは１以上の整数、ｎ＞ｍ）
とすることを特徴とする。
【００１１】
また、本発明は、記録媒体に対し、光源から出射されるレーザ光を照射して記録及び／又は再生を行う光記録再生装置であって、上記光源の発振波長をλｆｓ、上記記録媒体における記録材料の記録時の光励起波長をλｒｅｃ、再生時の光励起波長をλｒｄ、再生時の発光中心波長をλｐｌとすると、
λｒｅｃ≠λｒｄ≠λｐｌ≠λｆｓ
として構成することを特徴とする。
更に本発明は、上述の光記録再生装置において、上記光源のうち少なくとも１つがパルスレーザ光を発振する光源とされ、そのパルス幅が１ｐｓ以下とされることを特徴とする。
【００１２】
上述したように、本発明による光記録再生方式及び光記録再生装置においては、光源の発振波長λｆｓ、記録材料の記録時の光励起波長λｒｅｃ、再生時の光励起波長λｒｄ、更に再生時の発光中心波長λｐｌをそれぞれ異なる波長として構成するものである。
なお、ここで記録時又は再生時の光励起波長とは、記録材料中の少なくとも一部の材料がこの波長を略中心波長とする波長帯域に吸収波長を有し、その光を吸収することによって状態の変化が誘起される波長を示す。すなわち、この光励起波長を中心波長とする光を照射することによって、この光を照射しない領域とは異なる状態に変化することによって、記録又は再生がなされる。そして、記録時に励起された領域が記録マークとなり、再生時にはこの記録マークに再生用励起光を照射すると、発光強度の変化、または発光スペクトルの変化が生じ、この変化を検出することによって、情報の記録再生を行うことができる。
【００１３】
このように、各波長を重複することなく適切に選定し、かつ、それらの各中心波長を、光源の発振波長との兼ね合いにおいて、上記式（１）及び式（２）の関係に選定し、また、光源のうち少なくとも１つにパルスレーザ光を発振する光源を用い、そのパルス幅を１ｐｓ以下とすることによって、多光子吸収過程を利用した効率の良い記録再生が可能となる。
すなわち、２光子以上の多光子吸収過程による記録と、１光子または２光子以上の多光子吸収過程による再生とを適宜実現できる波長関係とすることによって、簡易な装置構成で多層記録媒体に対する記録再生を実現できる。
特に、記録及び再生を２光子以上の多光子吸収過程により行う構成とすることにより、光源を１つとすることができて、より簡易な装置構成を実現し、多層記録媒体に対する実用的な光記録再生方法及び光記録再生装置を提供することができる。
【発明の効果】
【００１４】
以上説明したように、本発明の光記録再生方式及び光記録再生装置によれば、光源の発振波長と記録材料の励起波長、発光波長とが重複することなく、適切な波長構成となるため、実用的な光励起による光記録再生方式及び光記録再生装置を提供することができる。
また、本発明の光記録再生方式において記録時及び再生時の光励起波長λｒｅｃ及びλｒｄを、光源の発振波長λｆｓに対し、それぞれ上記式（１）及び式（２）の関係とすることによって、少なくとも記録時において多光子吸収過程を利用した効率の良い光記録再生方法を提供することができる。
更に、本発明の光記録再生方法において、再生時の光励起波長が、記録時の光励起によって、その中心波長が変化することによって、再生時において記録情報の再生をより確実に行えると共に、記録及び再生を多光子吸収過程により行う場合において、記録時に再生用の多光子吸収過程をも誘起することを回避できるという利点を有する。
【００１５】
更に、本発明の光記録再生方法において、記録材料の再生時の発光を蛍光の発光とし、その発光中心波長λｐｌを、
λｆｓ／２＜λｐｌ＜λｆｓ
とすることによって、再生励起光と混同することなく、精度良く再生光を検出することができる。
【００１６】
また、本発明の光記録再生装置において、光源のうち少なくとも１つがパルスレーザ光を発振する光源とされ、そのパルス幅を１ｐｓ以下とすることによって、多光子吸収過程を利用した記録再生が可能な装置を提供することができる。
更に、本発明の光記録再生装置において、パルスレーザ光を発振する光源とは別に、再生用光源を設け、この再生用光源を、記録媒体の再生時の光励起波長λｒｄに対応する発振波長を有する構成とすることによって、記録媒体の記録材料の選択の自由度を高め、比較的簡易な構成で多層記録媒体への安定した記録及び再生が可能な光記録再生装置を提供することができる。
更に、本発明の光記録再生装置において、再生用光源からのレーザ光を記録媒体に照射する共焦点光学系を設けることによって、同様に記録媒体記録材料の選択の自由度を高め、より簡易な構成で多層記録媒体への安定した記録及び再生が可能な光記録再生装置を提供することができる。
【発明を実施するための最良の形態】
【００１７】
以下本発明を実施するための最良の形態の例を説明するが、本発明は以下の例に限定されるものではない。
本発明は、記録媒体に対しレーザ光を照射して情報の記録及び／又は再生を行う光記録再生方式及び光記録再生装置に適用するもので、特に多層構造媒体に適用して好適な例を示す。
本発明の光記録再生方式においては、光源の発振波長λｆｓ、記録媒体の記録材料における記録時の光励起波長λｒｅｃ、再生時の光励起波長λｒｄ、再生時の発光波長λｐｌを、
λｒｅｃ≠λｒｄ≠λｐｌ≠λｆｓ
としてそれぞれ重なり合うことなく構成する。更に、それらの各波長が励起光源波長との兼ね合いにおいて、１光子吸収過程または多光子吸収過程となる波長関係とする。
【００１８】
この場合の吸収／発光スペクトルの一例を図１に示す。この例においては、中心波長λｒｅｃの光を照射することによって、記録材料の少なくとも一部の材料が局所的に励起されて記録がなされる。
再生時には、中心波長λｒｄの光を照射すると、記録時に記録材料の一部が励起された位置において記録材料の少なくとも一部の材料が励起されて例えば矢印ａ１で示すように吸収スペクトルが変化して光が吸収される。このとき、例えば発光スペクトルが矢印ａ２で示すように発光強度が変化し、記録された領域で局部的に発光強度が大となることによって、発光を検出するができ、記録の再生がなされる。
【００１９】
ここで、記録時に励起する波長λｒｅｃと光源の発振波長λｆｓとの関係を、
λｒｅｃ≒λｆｓ／ｎ
（ただし、ｎ≧２）
とする。なお、λｒｅｃとしては、必ずしもλｆｓのｎ分の１でなくても、記録材料が励起される範囲であれば、中心波長がλｆｓ／ｎの周辺であってもよい。
このとき、光源としてパルスレーザを用い、そのパルス幅を３光子以上の多光子吸収が生ずる程度、１ｐｓ以下の例えば５００ｆｓ、１５０ｆｓ等とすることによって、多光子吸収過程、例えば３光子過程により記録材料を励起することができる。
【００２０】
また、再生時に励起する波長λｒｄと、光源の発振波長λｆｓとの関係を、
λｒｄ≒λｆｓ／ｍ
（ただし、ｍ≧１、ｎ＞ｍ）
とする。この場合もλｒｄは、再生時の励起が生じる範囲であればよく、中心波長がλｆｓ／ｍの周辺であってもよい。
再生時においても、光源としてパルスレーザを用い、そのパルス幅を２光子以上の多光子吸収過程が生ずる程度、１ｐｓ以下の５００ｆｓ、１５０ｆｓ程度とすることによって、例えば２光子吸収過程により再生時の励起を行うことができる。
このようにすることによって、記録時と再生時において同一の光源からの光を利用して多層記録媒体への記録又は再生を良好に行うことが可能となる。
【００２１】
そして、再生時の信号の検出は蛍光の発光を用いてこれを行い、かつ、その発光波長中心λｐｌが、
λｆｓ／２＜λｐｌ＜λｆｓ
に存在するものとする。
これにより、再生時に励起する波長λｒｄの光と混同することなく、精度良く再生光の検出を行うことができる。
【００２２】
本発明による光記録再生方式の他の例における吸収／発光スペクトルを図２に示す。この場合は、再生時の光励起波長が、記録時の光励起によって、その中心波長が変化する場合を示す。すなわち、記録時の励起によって、再生時の光励起波長が矢印ｂ１又はｂ２で示すように、波長λｒｄ１から波長λｒｄ２に、又はその逆に変化し、その他のスペクトルは図１に示す例と同様の場合を示す。
このように、再生時に励起するとその吸収スペクトルの中心波長が変化する記録材料を用いることによって、上述の図１において説明した例と同様に、記録及び再生を共に多光子吸収過程により行う場合に、記録時に複数の多光子吸収過程、例えば３光子吸収過程及び２光子吸収過程を誘起してしまうことを回避することができる。すなわちこの場合は、記録と再生の励起を適切に分離して行うことができるという利点を有する。
なお、このような波長関係は、例えば後述する光酸発生剤及び酸敏感性蛍光材料を記録材料とする場合に構成し得る。
【００２３】
また、その他例えば図３に示すように、記録時の励起によって、再生時の発光スペクトルが矢印ｃ１又はｃ２で示すように中心波長がシフトし、かつその発光スペクトルも矢印ｃ３又はｃ４で示すように中心波長がλｐｌ１からλｐｌ２へ、又はその逆に波長シフトが生じる波長構成であってもよい。このような記録材料を有する記録媒体を用いる場合においても、図２に示した例と同様に、精度良く多光子吸収過程による記録及び再生を行うことができる。図３において、図２と対応する部分には同一符号を付して重複説明を省略する。
この場合は、再生時にλｐｌ１又はλｐｌ２のどちらかの発光を検出して再生信号を得るようにすればよく、より精度よく再生信号を検出することができる。
【００２４】
更に、図４に示すように、再生時の発光スペクトルの中心波長のみが変化する波長構成であってもよい。この場合においても、λｐｌ１又はλｐｌ２のどちらかの発光を検出して再生信号を得るようにすればよい。図４において、図１と対応する部分には同一符号を付して重複説明を省略する。
これら図２〜図４において説明した各例において、上述の図１において説明した多光子吸収過程を誘起する波長関係とすることによって、同一の光源を用いて良好に記録及び再生を行うことができることはいうまでもない。
多光子吸収過程を利用した記録再生を行うことによって、多層記録媒体に対し良好に記録再生を行うことが可能となり、高記録密度記録媒体に対する実用的な記録再生が可能となる。
【００２５】
なお、特に書き換え可能な記録媒体の場合、記録情報の消去の際の励起波長は、再生時の励起波長λｒｄと同じとし、かつ再生時よりも高いレーザパワーにてこれを行うものとすることによって、同様の波長構成によって書き換え可能な記録再生を行うことができる。
【００２６】
なお、再生時に励起する波長λｒｄをλｆｓ／ｎ（例えばｎ＝２）周辺とし、これを波長λｆｓ／ｎで発振する連続発振（ＣＷ）レーザか、またはλｆｓ／ｎで発振するパルスレーザにて励起してもよい。その際、特に連続発振（ＣＷ）レーザでこれを行う場合、再生光学系として共焦点光学系を構成することによって、同様に多層記録媒体に対する記録再生が可能となる。
この場合においても、信号の検出は蛍光の発光を用いてこれを行い、かつその発光中心波長λｐｌが、
λｆｓ／２＜λｐｌ＜λｆｓ
に存在するものとする。
このように再生用の光源を用いる場合において、特にパルスレーザを用いるときは、そのパルス幅は、２以上の多光子吸収過程が生じない程度、例えば１ｐｓ以上とする。
【００２７】
以上のような波長構成として記録再生を行う本発明構成の光記録再生装置の一例の概略構成を図５に示す。
この例では、例えばパルス幅１ｐｓ以下のパルスレーザを発振する光源１が設けられ、この光源１から出射されたパルスレーザは、光軸Ｃ１に沿って光量調節用のＮＤフィルター等より成るフィルター２を介してビームスプリッター３に入射される。ビームスプリッター３により反射されたパルスレーザ光は、光軸Ｃに沿って例えばコンピュータ制御された３次元ステージより成り層間移動及び収差補正がなされる光学系４に入射され、ここにおいてフォーカス方向及びトラッキング方向に制御され、また収差補正されて、油浸レンズや固浸レンズ等の高開口数の対物レンズ５を介して例えば記録部が多層構成とされた記録媒体３０の所望の記録層に合焦されて照射される。
【００２８】
図５においては、再生用の光源６を設け、共焦点光学系を構成する場合を示し、例えば青色レーザ等の光源６から出射された光は、光軸Ｃ２に沿ってコリメータレンズ７を介してビームスプリッター８に入射される。ビームスプリッター８により反射されたレーザ光は、光軸Ｃに沿って、ビームスプリッター３を透過して光学系４に入射され、ここにおいてフォーカス方向及びトラッキング方向に制御され、かつ収差補正がなされて対物レンズ５を介して記録媒体３０に入射される。記録媒体３０から反射された光は、光学系４、ビームスプリッター３を透過して、集光レンズ９により集光されて、ピンホール１０を介して検出手段１１において検出される。
このように、再生用の光源６を設ける構成とする場合は、記録媒体の記録材料における記録及び再生時の光励起波長を共に多光子吸収過程が生じる波長関係に限定されることがなく、記録材料の選択の自由度を高めることができる。
また、上述したように共焦点光学系を構成する場合は、比較的簡易な構成で確実に多層記録媒体に対する安定した記録再生が可能となる。
【００２９】
なお、再生時の励起を多光子過程により行い、光源１のパルスレーザで再生用のレーザ光源を兼用できる場合は、図５における光源６からビームスプリッター８に至る光学系４１、ピンホール１０を省略して光記録再生装置を構成することができる。
【００３０】
また、記録媒体３０に各レーザ光を集光する対物レンズとしては、例えば図６に示すように、オイル４４を介して記録媒体３０と対物レンズ４３を対向させるいわゆる油浸レンズを用いるとか、また例えば図７に示すように、対物レンズ４３と記録媒体３０の表面との間に、記録媒体３０の表面との間隔ｇが数十ｎｍ程度と微小間隔とされて対向される固浸レンズを介在させる構成とすることによって、開口数ＮＡ＞１程度の高開口数を実現する対物レンズ構成とすることが望ましい。このような高開口数の対物レンズを用いることによって、光軸Ｃに沿って集光されるレーザビームＬが、エバネッセント波を介して、記録媒体３０内へ結合し、かつ媒体３０内の任意の場所、すなわち例えば図６及び図７に示すように、第１〜第３の記録層３１〜３３の所望の記録層表面に合焦可能な集光光学系が得られる。図７においては、固浸レンズ４５をサスペンション４７に支持されるスライダ４６に固定した例を示すが、その他光学系４により制御される２軸アクチュエータ等に搭載するなど、種々の態様を採り得る。
【００３１】
次に、本発明による光記録再生方式及び光記録再生装置の一実施形態例について説明する。
上述の図５において説明した光記録再生装置において、光源１の発振波長λｆｓが８００ｎｍ前後の超短パルスレーザ、いわゆるフェムト秒レーザを使用して、３光子以上の多光子吸収による光励起を利用し、一方、再生に際しては、同様に波長λｆｓが８００ｎｍ前後の超短パルスレーザを光源１として使用し、２光子吸収により再生する構成とする。
なお、波長４００ｎｍ前後の例えば波長４０５ｎｍの青色半導体レーザを再生用の光源６として用いてもよく、ピンホール１０と組み合わせることも可能である。
【００３２】
光源１としては、例えばTi:Sapphire結晶を使ったフェムト秒レーザ・オシレータを用いることができる。そのパルス幅はおよそ１００ｆｓ、繰り返し周波数は８０ＭＨｚ程度である。また、発振波長中心は８００ｎｍである。
記録媒体へ照射する際の集光光学系は、例えば油浸対物レンズを用いて開口数１．３５とする。対物レンズとしては、その他前述の図７に示す固浸レンズを用いるなど各種の集光光学系が適用可能である。
【００３３】
このような光記録再生装置により記録再生が可能な記録媒体としては、例えば前述の図２の波長構成とする例として、ホスト材料に光酸発生剤、酸敏感性蛍光材料を適宜添加したポリマー材料を記録層材料とした記録媒体を用いることができる。
ホスト材料はＰＭＭＡ（ポリメチルメタクリレート）等の各種材料が利用可能である。光酸発生剤は、特定の波長の光照射に対し、酸を発生するものであり、例えばトリフェニルスルフォニウム・トリフルオロメタンスルフォネート（Triphenylsulfoniumtrifluoromethanesulfonate）等が適している。同材料の光吸収の波長範囲は２００ｎｍ前後を中心とした範囲となるため、記録時の光励起波長λｒｅｃを２００ｎｍに設定し、上述のフェムト秒レーザ・オシレータを光源として用いる場合は、４フォトンでの励起により、酸を発生させる。
また、酸敏感性蛍光材料は特に限定されないが、その特徴としては、以下の性質を持つものが望ましい。すなわち、酸の有無によってその光吸収特性、蛍光の発光特性が変化する色素材料であり、酸のない場合、その光吸収波長が３５０ｎｍ前後、酸がある場合、４００ｎｍ前後になる材料が望ましい。これにより、再生時の励起波長を４００〜５００ｎｍ付近とすることができる。すなわち、非記録状態の再生時の励起波長λｒｄ１を３５０ｎｍ程度、記録状態の再生時の励起波長λｒｄ２を４００〜５００ｎｍに設定することができる。
また、蛍光の発光特性は、酸のない場合は４００ｎｍ付近の励起に対して非発光、酸がある場合に５００〜７５０ｎｍの範囲でその発光中心があるものが適している。すなわち、発光波長λｐｌを５００〜７５０ｎｍの間に設定する。
あるいはまた、５００〜７５０ｎｍの範囲で、酸の有無に対して５０ｎｍ以上の波長シフトが実現できるものでもよい。この場合、前述の図３に示す波長構成の例に相当する。また、同蛍光材料は、酸の有無によって可逆的、非可逆的にその光吸収、発光特性が変化するものであれば、書き換え可能な記録再生を行うことができる。
【００３４】
上記の組み合わせにおいて、ホスト材料をＰＭＭＡ、敏感性蛍光材料を例えばモレキュラプローブス社のLysoSensor L-7545（商品名)とし、光酸発生剤としてトリフェニルスルフォニウム・トリフルオロメタンスルフォネートを用いて、それぞれ適切な添加割合として記録媒体の記録層を構成した。この場合の、記録及び再生時の光励起波長λｒｅｃ及びλｒｄ１、λｒｄ２、再生時の発光波長λｐｌ及び光源の発振波長λｆｓの波長構成を示す吸収／発光スペクトルを図８に示す。この場合、記録時の波長λｒｅｃすなわちこの場合２００ｎｍ前後の光励起によって、光酸発生剤の作用により材料のｐＨがｐＨ＞７からｐＨ＜７に変化する。この場合、酸敏感性蛍光材料の吸収スペクトルが矢印ｅで示すように変化し、励起前は中心波長λｒｄ１が例えば３３０ｎｍ程度であったものが、中心波長λｒｄ２が４００ｎｍ前後の吸収スペクトルに変化する。更に、蛍光の発光スペクトルも矢印ｆで示すように変化して、十分な発光強度が得られ、λｐｌの波長の光を検出することによって、記録情報の再生が良好に行えることとなる。
【００３５】
このような材料を用いて、図９に示すように、第１〜第３の記録層３１〜３３を有する記録媒体３０の各記録層に記録を行って再生光を検出した結果を図１０Ａ〜Ｃに示す。図１０Ａ〜Ｃは、それぞれ第１〜第３の記録層に記録した情報を再生した状態の光学顕微鏡による観察写真図である。この結果から、再生増幅器を用いないパルスレーザ・オシレータより成る光源１によって、適切な記録再生が実現されることがわかる。
【００３６】
以上説明したように、本発明によれば、記録媒体の記録材料の励起特性、発光特性に対応して適切な波長関係をもつ光源を用いる構成とすることによって、光記録再生装置の構成を最適化することができ、整合性のよい波長関係を提供できるだけでなく、より効率的な記録再生の原理を提供できる。
また、光源を一つとすることができるため、より簡素な光源系で記録再生を行うことができる。
更に、これらの結果、より低コストで、かつ、信頼性の高い記録再生方式を提供できる。
また、光源を記録、再生でそれぞれ用意する場合でも、特に再生時に半導体レーザを用いることが可能なため、比較的安価に光源系を構成することが可能となる。
【００３７】
なお、本発明による光記録再生方法及び光記録再生装置は、上述の例に限定されるものではなく、その他本発明構成を逸脱しない範囲において、種々の装置構成とするとか、また記録媒体についても、本発明における波長構成を実現できるものであれば種々の材料構成とし得ることはいうまでもない。
【図面の簡単な説明】
【００３８】
【図１】本発明による光記録再生方式の一例の説明に供する光吸収／発光スペクトルを示す図である。
【図２】本発明による光記録再生方式の一例の説明に供する光吸収／発光スペクトルを示す図である。
【図３】本発明による光記録再生方式の一例の説明に供する光吸収／発光スペクトルを示す図である。
【図４】本発明による光記録再生方式の一例の説明に供する光吸収／発光スペクトルを示す図である。
【図５】本発明による光記録再生装置の一例の概略構成図である。
【図６】本発明による光記録再生装置の一例の要部の概略構成図である。
【図７】本発明による光記録再生装置の一例の要部の概略構成図である。
【図８】本発明による光記録再生方式の一例の説明に供する光吸収／発光スペクトルを示す図である。
【図９】記録媒体の一例の要部の概略構成図である。
【図１０】Ａは本発明による光記録再生方式の実施例における観察写真図である。Ｂは本発明による光記録再生方式の実施例における観察写真図である。Ｃは本発明による光記録再生方式の実施例における観察写真図である。
【符号の説明】
【００３９】
１．光源、２．フィルター、３．ビームスプリッター、４．光学系、５．対物レンズ、６．光源、７．コリメータレンズ、８．ビームスプリッター、９．集光レンズ、１０．ピンホール、１１．検出手段、３０．記録媒体、３１．第１の記録層、３２．第２の記録層、３３．第３の記録層、４１．光学系、４３．対物レンズ、４４．オイル、４５．固浸レンズ、４６．スライダ、４７．サスペンション
【図１】
2006164450.tif 000003
【図２】
2006164450.tif 000004
【図３】
2006164450.tif 000005
【図４】
2006164450.tif 000006
【図５】
2006164450.tif 000007
【図６】
2006164450.tif 000008
【図７】
2006164450.tif 000009
【図８】
2006164450.tif 000010
【図９】
2006164450.tif 000011
【図１０】
2006164450.tif 000012